(57)【要約】  本開示の実施例は、隣接関係確立方法、無線リレー及びネットワーク側ノードを提供する。該方法は、前記第１の無線リレーによって検出された信号品質が予め設定された条件を満たす無線リレーである少なくとも１つの隣接リレーを含む、前記第１の無線リレーの隣接リストを確立することと、前記第１の無線リレーと前記隣接リレーとの間のインタフェースを確立することとを含む。【選択図】図２
2021513811.tif 000002
【特許請求の範囲】
【請求項１】
第１の無線リレーに適用される隣接関係確立方法であって、
前記第１の無線リレーによって検出された信号品質が予め設定された条件を満たす無線リレーである少なくとも１つの隣接リレーを含む、前記第１の無線リレーの隣接リストを確立することと、
前記第１の無線リレーと前記隣接リレーとの間のインタフェースを確立することと、
を含む、隣接関係確立方法。
【請求項２】
第１の無線リレーの隣接リストを確立する前に、
前記第１の無線リレーがネットワーク側ノードとの間のインタフェースを確立すること、
又は、
前記第１の無線リレーが第２の無線リレーとの間のインタフェースを確立することをさらに含む、請求項１に記載の隣接関係確立方法。
【請求項３】
前記第１の無線リレーがネットワーク側ノードとの間のインタフェースを確立することは、
前記第１の無線リレーがネットワーク側ノードの信号を傍受すると、前記ネットワーク側ノードに、リレー識別認証に用いられる前記第１の無線リレーの識別情報を持つ第１の接続要求メッセージを送信すること、及び、前記第１の無線リレーが前記ネットワーク側ノードによって送信された第１の接続確立メッセージを受信して、前記ネットワーク側ノードとの間のインタフェースを確立すること、
又は、
前記第１の無線リレーが第３の無線リレーによって転送された前記ネットワーク側ノードによって送信された第２の接続確立メッセージを受信して、前記ネットワーク側ノードとの間のインタフェースを確立することを含む、請求項２に記載の隣接関係確立方法。
【請求項４】
前記第２の接続確立メッセージを受信する前、
前記第１の無線リレーが前記第３の無線リレーの信号を傍受すると、前記第３の無線リレーに、リレー識別認証に用いられる前記第１の無線リレーの識別情報を持つ第２の接続要求メッセージを送信することをさらに含む、請求項３に記載の隣接関係確立方法。
【請求項５】
前記第１の無線リレーが前記第２の無線リレーとの間のインタフェースを確立することは、
前記第１の無線リレーが前記第２の無線リレーによって送信された第３の接続確立メッセージを受信して、前記第２の無線リレーとの間のインタフェースを確立することを含む、請求項２に記載の隣接関係確立方法。
【請求項６】
第１の無線リレーの隣接リストを確立することは、
無線信号を検出することによって、第１の無線リレーの周囲の無線リレーの信号品質情報を検出することと、
検出された無線リレーの信号品質情報をネットワーク側ノードに送信し、ネットワーク側ノードから返信された前記第１の無線リレーの隣接リストを受信するか、又は、検出された無線リレーから、信号品質が前記予め設定された条件を満たす無線リレーを選別して、前記第１の無線リレーの隣接リストを取得することとを含む、請求項１に記載の隣接関係確立方法。
【請求項７】
ネットワーク側ノードに適用される隣接関係確立方法であって、
前記ネットワーク側ノードが、第１の無線リレーによって送信された、リレー識別認証に用いられる前記第１の無線リレーの識別情報を持つ第１の接続要求メッセージを受信することと、
前記第１の無線リレーのリレー識別認証が成功すると、前記第１の無線リレーに第１の接続確立メッセージを送信して、前記ネットワーク側ノードと第１の無線リレーとの間のインタフェースを確立することと、
を含む、隣接関係確立方法。
【請求項８】
前記ネットワーク側ノードと第１の無線リレーとの間のインタフェースを確立した後、
前記ネットワーク側ノードが、前記第１の無線リレーによって転送された、リレー識別認証に用いられる第２の無線リレーの識別情報を持つ第２の接続要求メッセージを受信することと、
前記第２の無線リレーのリレー識別認証が成功すると、前記第１の無線リレーによって前記第２の無線リレーに第２の接続確立メッセージを送信して、前記ネットワーク側ノードと第２の無線リレーとの間のインタフェースを確立するか、又は、第２の無線リレーとの間のインタフェースを確立するよう前記第１の無線リレーに指示することとをさらに含む、請求項７に記載の隣接関係確立方法。
【請求項９】
前記ネットワーク側ノードと第１の無線リレーとの間のインタフェースを確立した後、
前記第１の無線リレーによって送信された前記第１の無線リレーの隣接リストを受信すること、
又は、
前記第１の無線リレーによって検出された無線リレーの信号品質情報を受信し、前記第１の無線リレーによって検出された無線リレーから、信号品質が予め設定された条件を満たす無線リレーを選別して、前記第１の無線リレーの隣接リストを取得して前記第１の無線リレーに送信することをさらに含む、請求項７又は８に記載の隣接関係確立方法。
【請求項１０】
無線リレーの隣接リストに基づいて、前記ネットワーク側ノードから各無線リレーまでの少なくとも１つの経路を確立し維持することをさらに含む、請求項９に記載の隣接関係確立方法。
【請求項１１】
第１の無線リレーによって検出された信号品質が予め設定された条件を満たす無線リレーである少なくとも１つの隣接リレーを含む、前記第１の無線リレーの隣接リストを確立するための隣接関係確立ユニットと、
前記第１の無線リレーと前記隣接リレーとの間のインタフェースを確立するための隣接インタフェース確立ユニットと、
を含む、第１の無線リレー。
【請求項１２】
プロセッサと、メモリと、前記メモリに記憶され、前記プロセッサ上で実行可能なコンピュータプログラムとを含む第１の無線リレーであって、
前記コンピュータプログラムが前記プロセッサによって実行される場合に、請求項１〜６のいずれか１項に記載の隣接関係確立方法のことを実現する、第１の無線リレー。
【請求項１３】
第１の無線リレーによって送信された、リレー識別認証に用いられる前記第１の無線リレーの識別情報を持つ第１の接続要求メッセージを受信するための第１の請求受信ユニットと、
前記第１の無線リレーのリレー識別認証が成功すると、前記第１の無線リレーに第１の接続確立メッセージを送信して、ネットワーク側ノードと第１の無線リレーとの間のインタフェースを確立するための第１のインタフェース確立ユニットと、
を含む、ネットワーク側ノード。
【請求項１４】
プロセッサと、メモリと、前記メモリに記憶され、前記プロセッサ上で実行可能なコンピュータプログラムとを含むネットワーク側ノードであって、
前記コンピュータプログラムが前記プロセッサによって実行される場合に、請求項７〜１０のいずれか１項に記載の隣接関係確立方法のことを実現する、ネットワーク側ノード。
【請求項１５】
コンピュータプログラムが記憶されているコンピュータ読み取り可能な記憶媒体であって、
前記コンピュータプログラムがプロセッサによって実行される場合に、請求項１〜１０のいずれか１項に記載の隣接関係確立方法のことを実現する、コンピュータ読み取り可能な記憶媒体。
【発明の詳細な説明】
【技術分野】
【０００１】
本願は、２０１８年２月１４日に提出された中国特許出願第２０１８１０１５２１６２．５号の優先権を主張するものであり、その全ての内容は参照により本願に組み込まれるものとする。
本開示は、通信の技術分野に関し、特に隣接関係確立方法、無線リレー及びネットワーク側ノードに関する。
【背景技術】
【０００２】
第５世代移動通信（５Ｇ）システムでは、無線リレーをバックホールネットワークのノード装置として採用することが検討されている。無線リレーバックホール技術は６ＧＨｚ以上の高周波数帯の無線バックホールリンクを採用することを含む。無線リレー（Ｒｅｌａｙ）バックホール技術とは、ネットワーク側ノードと端末との間に１つ以上の無線リレーノードを追加することによって、無線信号に対する１回以上の中継転送を実現することであり、即ち、無線信号は一般的にマルチホップを経てこそ端末に到達する。
【０００３】
簡単な２ホップリレーを例にすると、一般的にネットワーク側ノードから端末までのリンクは、ネットワーク側ノードからリレーまでのリンクと該リレーから端末までのリンクの２つのリンクに分割されるため、１つの品質の低いリンクを２つの品質の高いリンクに置き換えて、より大きなリンク容量とより優れたカバレッジを取得する可能性がある。
【０００４】
現在、バックホールネットワークにおけるノード間で隣接関係をどのようにして確立及び維持するかについて、まだ解決手段が特定されていない。
【発明の概要】
【発明が解決しようとする課題】
【０００５】
本開示の実施例は、バックホール経路が中断された場合にデータ伝送を迅速に再開するための隣接関係確立方法、無線リレー及びネットワーク側ノードを提供する。
【０００６】
第１の態様では、本開示の実施例は、隣接関係確立方法を提供する。
第１の無線リレーに適用される隣接関係確立方法は、
前記第１の無線リレーによって検出された信号品質が予め設定された条件を満たす無線リレーである少なくとも１つの隣接リレーを含む、前記第１の無線リレーの隣接リストを確立することと、
第１の無線リレーと前記隣接リレーとの間のインタフェースを確立することと、
を含む。
【０００７】
第２の態様では、本開示の実施例は、隣接関係確立方法を提供する。
ネットワーク側ノードに適用される隣接関係確立方法は、
前記ネットワーク側ノードが、第１の無線リレーによって送信された、リレー識別認証に用いられる前記第１の無線リレーの識別情報を持つ第１の接続要求メッセージを受信することと、
前記第１の無線リレーのリレー識別認証が成功すると、前記第１の無線リレーに第１の接続確立メッセージを送信して、前記ネットワーク側ノードと第１の無線リレーとの間のインタフェースを確立することと、
を含む。
【０００８】
第３の態様では、本開示の実施例は、第１の無線リレーを提供する。
当該第１の無線リレーは、
第１の無線リレーによって検出された信号品質が予め設定された条件を満たす無線リレーである少なくとも１つの隣接リレーを含む、前記第１の無線リレーの隣接リストを確立するための隣接関係確立ユニットと、
前記第１の無線リレーと前記隣接リレーとの間のインタフェースを確立するための隣接インタフェース確立ユニットと、
を含む。
【０００９】
第４の態様では、本開示の実施例は、第１の無線リレーを提供する。
プロセッサと、メモリと、前記メモリに記憶され、前記プロセッサ上で実行可能なコンピュータプログラムとを含む第１の無線リレーにおいて、
前記コンピュータプログラムが前記プロセッサによって実行される場合に、上述した隣接関係確立方法を実現する。
【００１０】
第５の態様では、本開示の実施例は、ネットワーク側ノードを提供する。
当該ネットワーク側ノードは、
第１の無線リレーによって送信された、リレー識別認証に用いられる前記第１の無線リレーの識別情報を持つ第１の接続要求メッセージを受信するための第１の請求受信ユニットと、
前記第１の無線リレーのリレー識別認証が成功すると、前記第１の無線リレーに第１の接続確立メッセージを送信して、前記ネットワーク側ノードと第１の無線リレーとの間のインタフェースを確立するための第１のインタフェース確立ユニットと、
を含む。
【００１１】
第６の態様では、本開示の実施例は、ネットワーク側ノードを提供する。
プロセッサと、メモリと、前記メモリに記憶され、前記プロセッサ上で実行可能なコンピュータプログラムとを含むネットワーク側ノードにおいて、
前記コンピュータプログラムが前記プロセッサによって実行される場合に、上述した隣接関係確立方法を実現する。
【００１２】
第７の態様では、本開示の実施例は、コンピュータ読み取り可能な記憶媒体を提供する。
コンピュータプログラムが記憶されているコンピュータ読み取り可能な記憶媒体において、
前記プロセッサによって実行される場合に、上述した隣接関係確立方法を実現する。
【発明の効果】
【００１３】
このようにして、本開示の実施例に係る隣接関係確立方法、無線リレー及びネットワーク側ノードは、前記第１の無線リレーの隣接リストを確立し、第１の無線リレーとその隣接リレーとの間のインタフェースを確立することによって、無線リレーの隣接関係の確立及び維持を実現する。
【００１４】
本開示の実施例の技術的解決手段をより明確に説明するために、以下、本開示の実施例の説明に必要な図面を簡単に説明し、明らかに、以下に説明される図面は、本開示の幾つかの実施例に過ぎず、当業者であれば、創造的な労力をすることなく、これらの図面に基づいて他の図面を取得することができる。
【図面の簡単な説明】
【００１５】
【図１】本開示の実施例の適用シナリオの一例の図を示す。
【図２】本開示の実施例に係る隣接関係確立方法のフローチャートを示す。
【図３】本開示の実施例に係る隣接関係確立方法の別のフローチャートを示す。
【図４】本開示の実施例に係る第１の無線リレーの構造概略図を示す。
【図５】本開示の実施例に係る第１の無線リレーのブロック図を示す。
【図６】本開示の実施例に係るネットワーク側ノードの構造概略図を示す。
【図７】本開示の実施例に係るネットワーク側ノードのブロック図を示す。
【発明を実施するための形態】
【００１６】
以下、図面を参照しながら本開示の例示的な実施例をより詳細に説明する。図面に本開示の例示的な実施例が示されるが、本開示は様々な形態で実現することができ、ここに記載した実施例によって限定されないことを理解されたい。逆に、これらの実施例を提供するのは、本開示をさらに徹底的に理解し、本開示の範囲を完全に当業者に伝えるようにするためである。
【００１７】
本願の明細書及び特許請求の範囲における用語「第１」、「第２」等は、類似した対象を区別するためのものであり、必ずしも特定の順序又は優先順位を説明するためのものではない。ここで説明した本願の実施例が、例えばここでの図示説明又は説明以外の順序でも実施できるように、このように使用されたデータは、適宜入れ替えてもよいことを理解されたい。また、用語「含む」、「備える」及びそれらの何ら変形は、非排他的な包含をカバーすることを意図し、例えば、一連のステップ又はユニットを含むプロセス、方法、システム、製品又は装置は、明確に示されたステップ又はユニットに限定されず、明確に示されていないか又はこれらのプロセス、方法、システム、製品又は装置に固有の、他のステップ又はユニットを含んでもよい。
【００１８】
本開示の実施例では、ネットワーク側ノードの形態は限定されず、マクロ基地局（Ｍａｃｒｏ  Ｂａｓｅ  Ｓｔａｔｉｏｎ）、ピコ基地局（Ｐｉｃｏ  Ｂａｓｅ  Ｓｔａｔｉｏｎ）、３Ｇモバイル基地局（Ｎｏｄｅ  Ｂ）、拡張基地局（ｅＮＢ）、フェムト基地局（Ｆｅｍｔｏ  ｅＮＢ、Ｈｏｍｅ  ｅＮｏｄｅ  Ｂ、Ｈｏｍｅ  ｅＮＢ又はＨｅＮＢ）、中継局、アクセスポイント、リモート無線ユニット（Ｒｅｍｏｔｅ  Ｒａｄｉｏ  Ｕｎｉｔ、ＲＲＵ）、リモート無線ヘッド（Ｒｅｍｏｔｅ  Ｒａｄｉｏ  Ｈｅａｄ、ＲＲＨ）、５Ｇモバイル通信システムにおけるネットワーク側ノード、例えば基地局（ｇＮＢ）、セントラルユニット（Ｃｅｎｔｒａｌ  Ｕｎｉｔ、ＣＵ）及び分散ユニット（ＤＵ、Ｄｉｓｔｒｉｂｕｔｅｄ  Ｕｎｉｔ）等であってよい。端末は、具体的には、携帯電話（又はスマートフォン）又は無線信号を送受信可能な他の装置、例えばユーザ装置（ＵＥ）、パーソナルデジタルアシスタント（ＰＤＡ）、無線モデム、無線通信装置、ハンドヘルドデバイス、ラップトップコンピュータ、コードレス電話、無線ローカル回路（ＷＬＬ）ステーション、移動信号をＷｉＦｉ信号に変換できるクライアント端末（Ｃｕｓｔｏｍｅｒ  Ｐｒｅｍｉｓｅ  Ｅｑｕｉｐｍｅｎｔ、ＣＰＥ）やモバイルスマートホットスポット、スマート家電、若しくは人間の操作なしで自発的に移動通信ネットワークと通信できる装置等であってよい。
【００１９】
図１は、マルチホップ無線リレーバックホール経路の一例を示し、図１には、無線リレー１〜７により無線リレーネットワークが構成される。本開示の実施例における無線バックホールネットワークは、一般的には複数の無線リレーを含み、そのうち、一部の無線リレーはネットワーク側ノードと直接通信でき、一部の無線リレーは他の無線リレーを介してネットワーク側ノードとの通信を実現できる。これらの無線リレーに基づいて、ネットワーク側ノードから端末までのバックホール経路を確立できる。図１には、ネットワーク側ノード（例えばＤｏｎｏｒ基地局、具体的には、Ｄｏｎｏｒ基地局はＤｏｎｏｒ  ｇＮＢであってよい）から順に無線リレー２、無線リレー４、無線リレー５を経て端末に到達するマルチホップバックホール経路が確立されている。５Ｇシステムを例にすると、図１における無線リレーは、アクセス・バックホール統合（ＩＡＢ、Ｉｎｔｅｇｒａｔｅｄ  Ａｃｃｅｓｓ  ａｎｄ  Ｂａｃｋｈａｕｌ）と呼ばれてもよい。ＩＡＢは、完全な基地局機能を有してもよく、基地局に類似したデータ転送機能のみを有してもよい。有線インタフェースによって接続されるネットワーク側ノードは基地局であり、本開示の実施例ではＤｏｎｏｒ基地局（ＤＩＡＢ）とも呼ばれる。ＩＡＢとＤＩＡＢは無線インタフェースを介して通信する。ＩＡＢとＩＡＢも無線インタフェースを介して通信する。本開示の実施例では、端末がアクセスした、端末（ＵＥ）に直接サービスするためのＩＡＢは、サービスリレー（Ｓｅｒｖｉｎｇ  ＩＡＢ、ＳＩＡＢ）と呼ばれてもよい。上記バックホール経路において、ＳＩＡＢの前ホップＩＡＢは、ＮＩＡＢ（Ｎｅｘｔ  ＩＡＢ）と呼ばれてもよい。
【００２０】
５Ｇシステムでは、無線リレーをバックホールネットワークのノード装置として採用し、バックホールネットワークを構築することが検討されている。現在、無線リレー間の隣接関係をどのようにして確立及び維持するかについて、まだ解決手段が特定されていない。このため、本開示の実施例は、バックホールネットワークにおける第１の無線リレーに適用される隣接関係確立方法を提供し、図２に示すように、該方法は、ステップ２１及びステップ２２を含む。
【００２１】
ステップ２１において、前記第１の無線リレーによって検出された信号品質が予め設定された条件を満たす無線リレーである少なくとも１つの隣接リレーを含む、前記第１の無線リレーの隣接リストを確立する。
【００２２】
ここで、上記隣接リストは、検出された周囲の無線リレーの信号品質に基づいて、第１の無線リレーによって生成されてよい。即ち、検出された無線リレーから、信号品質が上記予め設定された条件を満たす無線リレーを選別して、上記第１の無線リレーの隣接リストを生成する。この場合、上記予め設定された条件を第１の無線リレーで予め設定してよい。具体的な態様として、手動による事前設定であってもよく、第１の無線リレーがネットワーク側ノードから上記予め設定された条件を含む設定情報を受信して、第１の無線リレーのローカルに設定してもよい。さらに、第１の無線リレーが上記第１の無線リレーの隣接リストを生成した後、該隣接リストをネットワーク側ノードに送信してもよい。
【００２３】
別の実施態様として、上記隣接リストは、ネットワーク側ノードから取得してもよい。例えば、第１の無線リレーは、検出された周囲の無線リレーの信号品質情報をネットワーク側ノードに送信できる。第１の無線リレーは、検出された全ての無線リレーの信号品質情報をネットワーク側ノードに送信してもよく、そのうちの一部の無線リレーの信号品質情報、例えば、信号品質が上記予め設定された条件又は他の条件を満たす無線リレーの信号品質情報のみを送信してもよい。次に、ネットワーク側ノードは、第１の無線リレーによって送信された信号品質情報に基づいて、第１の無線リレーの隣接リストを生成する。第１の無線リレーは、ネットワーク側ノードから返信された上記第１の無線リレーの隣接リストを受信することによって、上記隣接リストを取得する。
【００２４】
ステップ２２において、上記第１の無線リレーと上記隣接リレーとの間のインタフェースを確立する。
【００２５】
以上の態様により、本開示の実施例では、上記第１の無線リレーの隣接リストを確立し、第１の無線リレーとその隣接リレーとの間のインタフェースを確立することによって、第１の無線リレーの隣接関係を維持することができる。ここで、本開示の実施例では、第１の無線リレーによって検出された、信号品質が予め設定された条件を満たす無線リレーをその隣接リレーとすることによって、隣接リレー間に比較的信頼性の高い信号品質を有することを保証し、隣接リレー間のデータ伝送の信頼性を向上させることができる。
【００２６】
本開示の実施例では、１つの実施形態として、参照信号受信電力（Ｒｅｆｅｒｅｎｃｅ  Ｓｉｇｎａｌ  Ｒｅｃｅｉｖｅｄ  Ｐｏｗｅｒ、ＲＳＲＰ）を信号品質の参照標準とし、例えば、第１の無線リレーが、ある無線リレーのＲＳＲＰが予め設定されたある参照閾値よりも大きいと検出する場合、それを隣接リレーとすることができる。もちろん、本開示の実施例では、他の信号品質の指標、例えば受信信号強度指示（Ｒｅｃｅｉｖｅｄ  Ｓｉｇｎａｌ  Ｓｔｒｅｎｇｔｈ  Ｉｎｄｉｃａｔｉｏｎ、ＲＳＳＩ）、信号対干渉雑音比（Ｓｉｇｎａｌ  ｔｏ  Ｉｎｔｅｒｆｅｒｅｎｃｅ  Ｒａｔｉｏ、ＳＩＲ）、信号対干渉及び雑音比（Ｓｉｇｎａｌ  ｔｏ  Ｉｎｔｅｒｆｅｒｅｎｃｅ  ｐｌｕｓ  Ｎｏｉｓｅ  Ｒａｔｉｏ、ＳＩＮＲ）等を採用してもよい。
【００２７】
本開示の実施例では、第１の無線リレーの隣接リストを確立する前、上記第１の無線リレーは、ネットワーク側ノードとの間のインタフェースを確立することによって、上記バックホールネットワークに参加できる。例えば、第１の無線リレーはオンになるか又は初めて構成する場合、ネットワーク側ノードによって送信されたシステム情報（該システム情報は、本ノードがネットワーク側ノード又はリレーノードであることを示す識別情報を含んでよい）を受信することによって、ネットワーク側ノードを識別して、ネットワーク側ノードとの間のインタフェースを確立する。
【００２８】
以下、第１の無線リレーとネットワーク側ノードとの間のインタフェースの確立について説明する。
【００２９】
本開示の実施例では、第１の無線リレーは、ネットワーク側ノードの信号を傍受すると、上記ネットワーク側ノードに第１の接続要求メッセージを送信でき、上記第１の接続要求メッセージは、リレー識別認証のための上記第１の無線リレーの識別情報を持つ。さらに、該第１の接続要求メッセージは、セルＩＤ、物理セル識別子（ＰＣＩ）、周波数ビン及びビームインデックス（ｂｅａｍ  ｉｎｄｅｘ）のうちの１つ以上を持ってもよい。次に、ネットワーク側ノードは、第１の接続要求メッセージを、無線リレーのアクセスを管理するネットワークエレメント、例えばモビリティ及びアクセス管理（Ａｃｃｅｓｓ  ａｎｄ  Ｍｏｂｉｌｉｔｙ  Ｍａｎａｇｅｍｅｎｔ、ＡＭＦ）ネットワークエレメントに送信して認証することができる。認証が成功した後、上記ネットワークエレメントは、第１の無線リレーを受ける接続要求をネットワーク側ノードにフィードバックでき、このとき、ネットワーク側ノードは、第１の無線リレーに第１の接続確立メッセージを送信できる。上記第１の無線リレーは、上記ネットワーク側ノードによって送信された第１の接続確立メッセージを受信して、上記ネットワーク側ノードとの間のインタフェースを確立する。
【００３０】
別の確立態様として、上記第１の無線リレーは、第３の無線リレーによって転送された第２の接続確立メッセージを受信した後、上記ネットワーク側ノードとの間のインタフェースを確立することができる。ここで、上記第３の無線リレーは、バックホールネットワークに参加したリレーであってよい。上記第２の接続確立メッセージは、上記ネットワーク側ノードが第３の無線リレーによって転送されるものである。該確立態様では、第３の無線リレーがネットワーク側ノードと第１の無線リレーとの間でメッセージを転送することによって確立する。また、上記第２の接続確立メッセージを受信する前に、上記第１の無線リレーは、上記第３の無線リレーの信号を傍受すると、リレー識別認証に用いられる上記第１の無線リレーの識別情報を持つ第２の接続要求メッセージを、上記第３の無線リレーに送信することができる。同様に、第２の接続要求メッセージを、無線リレーのアクセスを管理するネットワークエレメントに転送して認証することができるが、ここでは説明を省略する。
【００３１】
ネットワーク側ノードとの間のインタフェースを確立することによって上記バックホールネットワークに参加することに加えて、本開示の実施例では、上記第１の無線リレーは、上記バックホールネットワークに参加した第２の無線リレーとの間のインタフェースを確立することによって、上記バックホールネットワークに参加してもよい。例えば、上記第１の無線リレーは、上記第２の無線リレーの信号を傍受すると、リレー識別認証に用いられる上記第１の無線リレーの識別情報を持つ第３の接続要求メッセージを、上記第２の無線リレーに送信することができる。第２の無線リレーは、第３の接続要求を、無線リレーのアクセスを管理するネットワークエレメントに転送して認証することができ、ここでは説明を省略する。認証が成功した後、第２の無線リレーは、第３の接続確立メッセージを第１の無線リレーに送信でき、このとき、上記無線リレーは、上記第３の接続確立メッセージを受信して、上記第２の無線リレーとの間のインタフェースを確立する。
【００３２】
以上の説明から明らかなように、本開示の実施例における無線リレーをバックホールネットワークに参加する新しい方法は、該新しい無線リレーとネットワーク側ノードとの間のインタフェースを直接確立するか、又は、該新しい無線リレーとバックホールネットワークに参加した他の無線リレーとの間のインタフェースを確立することを含んでよい。
【００３３】
本開示の実施例では、無線リレー間のインタフェース、及び無線リレーとネットワーク側ノードとの間のインタフェースは、具体的にはＵｕ、Ｘ２、Ｘｎ、Ｆ１又はＥ１等のインタフェースであってもよく、他のタイプのインタフェースであってもよい。
【００３４】
以上のステップにより、本開示の実施形態では、無線リレーをバックホールネットワークに参加させて、無線リレー間の隣接関係の確立及び維持を実現することができる。
【００３５】
以下、本開示の実施例の近隣関係の確立について、ネットワーク側ノードから説明する。
【００３６】
図３を参照して、本開示の実施例に係る隣接関係確立方法は、ネットワーク側ノードに適用される場合、
上記ネットワーク側ノードが、第１の無線リレーによって送信された、リレー識別認証に用いられる上記第１の無線リレーの識別情報を持つ接続要求メッセージを受信するステップ３１と、
上記第１の無線リレーのリレー識別認証が成功すると、上記第１の無線リレーに接続確立メッセージを送信して、上記ネットワーク側ノードと第１の無線リレーとの間のインタフェースを確立するステップ３２と、を含む。
【００３７】
ここで、ネットワーク側ノードは、第１の接続要求メッセージを、無線リレーのアクセスを管理するネットワークエレメント、例えばＡＭＦネットワークエレメントに送信して認証することができる。認証が成功した後、上記ネットワークエレメントは、第１の無線リレーを受ける接続要求をネットワーク側ノードにフィードバックでき、このとき、ネットワーク側ノードは、第１の無線リレーに接続確立メッセージを送信して、上記ネットワーク側ノードとの間のインタフェースを確立することができる。
【００３８】
以上のステップにより、本開示の実施例はネットワーク側ノードと第１の無線リレーのインタフェース確立を実現する。
【００３９】
さらに、上記ネットワーク側ノードと第１の無線リレーとの間のインタフェースを確立した後、本開示の実施例のネットワーク側ノードは、さらに、上記第１の無線リレーを介して転送された、リレー識別認証に用いられる第２の無線リレーの識別情報を持つ第２の接続要求メッセージを受信することができる。次に、ネットワーク側ノードは、第２の接続要求メッセージを、無線リレーのアクセスを管理するネットワークエレメント、例えばＡＭＦネットワークエレメントに送信して認証することができる。認証が成功した後、上記ネットワークエレメントは第２の無線リレーを受ける接続要求をネットワーク側ノードにフィードバックできる。このとき、ネットワーク側ノードは、上記第１の無線リレーによって上記第２の無線リレーに第２の接続確立メッセージを送信して、上記ネットワーク側ノードと上記第２の無線リレーとの間のインタフェースを確立してもよい。又は、ネットワーク側ノードは、上記第１の無線リレーに指示を送信して、上記第１の無線リレーと第２の無線リレーとの間のインタフェースを確立するように指示してもよい。
【００４０】
さらに、上記ネットワーク側ノードと第１の無線リレーとの間のインタフェースを確立した後、本開示の実施例のネットワーク側ノードは、さらに、上記第１の無線リレーによって送信された上記第１の無線リレーの隣接リストを受信できる。このとき、該隣接リストは、上記第１の無線リレーによって自動的に生成されるものである。又は、ネットワーク側ノードは、さらに、上記第１の無線リレーによって検出された無線リレーの信号品質情報を受信し、上記第１の無線リレーによって検出された無線リレーから、信号品質が予め設定された条件を満たす無線リレーを選別して、上記第１の無線リレーの隣接リストを取得して上記第１の無線リレーに送信する。
【００４１】
以上の態様により、本開示の実施例におけるネットワーク側ノードは、バックホールネットワークにおける各無線リレーの隣接リストを取得して、上記ネットワーク側ノードから各無線リレーまでの少なくとも１つの経路を確立し維持することができる。
【００４２】
以上のステップにより、本開示の実施形態では、無線リレーを含むバックホールネットワークを確立し、無線リレー間の隣接関係の確立及び維持を実現する。
【００４３】
以上の実施例では、異なるシーンでの隣接関係確立方法が詳細に説明され、以下、本実施例は、図面を参照しながら対応する装置をさらに説明する。
【００４４】
図４を参照して、本開示の実施例は、第１の無線リレー４０を提供する。
第１の無線リレー４０は、
前記第１の無線リレーによって検出された信号品質が予め設定された条件を満たす無線リレーである少なくとも１つの隣接リレーを含む、前記第１の無線リレーの隣接リストを確立するための隣接関係確立ユニット４１と、
上記第１の無線リレーと上記隣接リレーとの間のインタフェースを確立するための隣接インタフェース確立ユニット４２と、
を含む。
【００４５】
好ましくは、上記第１の無線リレーは、さらに、
上記第１の無線リレーとネットワーク側ノードとの間のインタフェースを確立することによって、上記バックホールネットワークに参加するか、又は、上記第１の無線リレーと上記バックホールネットワークにおける第２の無線リレーとの間のインタフェースを確立することによって、上記バックホールネットワークに参加するためのネットワーク参加ユニットを含む。
【００４６】
好ましくは，上記ネットワーク参加ユニットは、
ネットワーク側ノードの信号を傍受すると、上記ネットワーク側ノードに、リレー識別認証に用いられる上記第１の無線リレーの識別情報を持つ第１の接続要求メッセージを送信し、そして、上記ネットワーク側ノードによって送信された第１の接続確立メッセージを受信して、上記ネットワーク側ノードとの間のインタフェースを確立するための第１の参加ユニット、
又は、
第３の無線リレーによって転送された上記ネットワーク側ノードによって送信された第２の接続確立メッセージを受信して、上記ネットワーク側ノードとの間のインタフェースを確立するための第２の参加ユニットを含む。
【００４７】
好ましくは、上記第２の参加ユニットは、さらに上記第２の接続確立メッセージを受信する前、上記第３の無線リレーの信号を傍受すると、リレー識別認証に用いられる上記第１の無線リレーの識別情報を持つ第２の接続要求メッセージを、上記第３の無線リレーに送信する。
【００４８】
好ましくは、上記ネットワーク参加ユニットは、さらに、上記第２の無線リレーによって送信された第３の接続確立メッセージを受信して、上記第２の無線リレーとの間のインタフェースを確立する。
【００４９】
好ましくは、上記隣接関係確立ユニットは、無線信号を検出することによって、第１の無線リレーの周囲の無線リレーの信号品質情報を検出し、検出された無線リレーの信号品質情報をネットワーク側ノードに送信し、ネットワーク側ノードから返信された上記第１の無線リレーの隣接リストを受信するか、又は、検出された無線リレーから、信号品質が上記予め設定された条件を満たす無線リレーを選別して、上記第１の無線リレーの隣接リストを取得する。
【００５０】
本開示の実施例は、さらに、別の第１の無線リレーを提供する。図５に示すように、該第１の無線リレー５００は、アンテナ５１、ラジオ周波数装置５２及びベースバンド装置５３を含む。アンテナ５１はラジオ周波数装置５２と接続される。アップリンク方向において、ラジオ周波数装置５２は、アンテナ５１を介して情報を受信して、受信した情報をベースバンド装置５３に送信して処理する。ダウンリンク方向において、ベースバンド装置５３は、送信対象となる情報を処理し、ラジオ周波数装置５２に送信し、ラジオ周波数装置５２は、受信した情報を処理してからアンテナ５１を介して送信する。
【００５１】
上記帯域処理装置は、ベースバンド装置５３内に位置してよく、以上の実施例における第１の無線リレーが実行する方法は、ベースバンド装置５３において実現されてよく、該ベースバンド装置５３はプロセッサ５４及びメモリ５５を含む。
【００５２】
ベースバンド装置５３は、例えば、少なくとも１つのベースバンドボードを含んでよく、該ベースバンドボードに複数のチップが設置され、図５に示すように、そのうちの１つのチップは、例えば、メモリ５５と接続されて、メモリ５５におけるプログラムを呼び出して以上の方法実施例に示す第１の無線リレーの動作を実行するプロセッサ５４である。
【００５３】
該ベースバンド装置５３は、ラジオ周波数装置５２と情報を変換するネットワークインタフェース５６をさらに含んでよく、該インタフェースは、例えば共通公衆無線インタフェース（ｃｏｍｍｏｎ  ｐｕｂｌｉｃ  ｒａｄｉｏ  ｉｎｔｅｒｆａｃｅ、ＣＰＲＩと略称）である。
【００５４】
ここでのプロセッサは、１つのプロセッサであってもよく、複数の処理素子の総称であってもよく、例えば、該プロセッサはＣＰＵであってもよく、ＡＳＩＣであってもよく、或いは、以上の第１の無線リレーによって実行される方法を実施するように構成された、１つ以上の集積回路、例えば、１つ以上のマイクロプロセッサＤＳＰ、又は１つ以上のフィールドプログラマブルゲートアレイＦＰＧＡ等であってもよい。記憶素子は１つのメモリであってもよく、複数の記憶素子の総称であってもよい。
【００５５】
メモリ５５は、揮発性メモリ又は不揮発性メモリであってもよく、揮発性と不揮発性メモリの両方を含んでもよい。そのうち、不揮発性メモリは、読み取り専用メモリ（Ｒｅａｄ−Ｏｎｌｙ  Ｍｅｍｏｒｙ、ＲＯＭと略称）、プログラマブル読み取り専用メモリ（Ｐｒｏｇｒａｍｍａｂｌｅ  ＲＯＭ、ＰＲＯＭと略称）、消去可能プログラマブル読み出し専用メモリ（Ｅｒａｓａｂｌｅ  ＰＲＯＭ、ＥＰＲＯＭと略称）、電気的消去可能プログラマブル読み出し専用メモリ（Ｅｌｅｃｔｒｉｃａｌｌｙ  ＥＰＲＯＭ、ＥＥＰＲＯＭと略称）又はフラッシュメモリであってよい。揮発性メモリは、外部キャッシュとして用いられるランダムアクセスメモリ（Ｒａｎｄｏｍ  Ａｃｃｅｓｓ  Ｍｅｍｏｒｙ、ＲＡＭと略称）であってよい。例であって限定するものではないが、スタティックランダムアクセスメモリ（Ｓｔａｔｉｃ  ＲＡＭ、ＳＲＡＭと略称）、ダイナミックランダムアクセスメモリ（Ｄｙｎａｍｉｃ  ＲＡＭ、ＤＲＡＭと略称）、同期ダイナミックランダムアクセスメモリ（Ｓｙｎｃｈｒｏｎｏｕｓ  ＤＲＡＭ、ＳＤＲＡＭと略称）、ダブルデータレートシンクロナスダイナミックランダムアクセスメモリ（Ｄｏｕｂｌｅ  Ｄａｔａ  Ｒａｔｅ  ＳＤＲＡＭ、ＤＤＲＳＤＲＡＭと略称）、エンハンスドシンクロナスダイナミックランダムアクセスメモリ（Ｅｎｈａｎｃｅｄ  ＳＤＲＡＭ、ＥＳＤＲＡＭと略称）、シンクリンクダイナミックランダムアクセスメモリ（Ｓｙｎｃｈｌｉｎｋ  ＤＲＡＭ、ＳＬＤＲＡＭと略称）及びダイレクトラムバスランダムアクセスメモリ（Ｄｉｒｅｃｔ  Ｒａｍｂｕｓ  ＲＡＭ、ＤＲＲＡＭと略称）等の多くの形態にあるＲＡＭが使用され得る。本願において説明されるメモリ５５は、これらと任意の他の適切なタイプのメモリを含むが、これらに限定されない。
【００５６】
本開示の実施例における第１の無線リレーにおいては、メモリ５５には、プロセッサ５４上で実行可能なコンピュータプログラムが記憶されている。プロセッサ５４は、メモリ５５におけるコンピュータプログラムを呼び出して、図４に示す各モジュールによって実行される方法を実行する。
【００５７】
コンピュータプログラムは、プロセッサ５４によって呼び出される場合、
前記第１の無線リレーによって検出された信号品質が予め設定された条件を満たす無線リレーである少なくとも１つの隣接リレーを含む、前記第１の無線リレーの隣接リストを確立することと、
第１の無線リレーと上記隣接リレーとの間のインタフェースを確立することと、を実行する。
【００５８】
コンピュータプログラムは、プロセッサ５４によって呼び出される場合、
ネットワーク側ノードとの間のインタフェースを確立すること、
又は、
上記第１の無線リレーと上記バックホールネットワークにおける第２の無線リレーとの間のインタフェースを確立することを実行する。
【００５９】
コンピュータプログラムは、プロセッサ５４によって呼び出される場合、
ネットワーク側ノードの信号を傍受すると、上記ネットワーク側ノードに、リレー識別認証に用いられる上記第１の無線リレーの識別情報を持つ第１の接続要求メッセージを送信すること、及び、上記ネットワーク側ノードによって送信された第１の接続確立メッセージを受信して、上記ネットワーク側ノードとの間のインタフェースを確立すること、
又は、
第３の無線リレーによって転送された上記ネットワーク側ノードによって送信された第２の接続確立メッセージを受信して、上記ネットワーク側ノードとの間のインタフェースを確立することを実行する。
【００６０】
コンピュータプログラムは、プロセッサ５４によって呼び出される場合、
上記第３の無線リレーの信号を傍受すると、上記第３の無線リレーに、リレー識別認証に用いられる上記第１の無線リレーの識別情報を持つ第２の接続要求メッセージを送信することを実行する。
【００６１】
コンピュータプログラムは、プロセッサ５４によって呼び出される場合、
上記第２の無線リレーによって送信された第３の接続確立メッセージを受信して、上記第２の無線リレーとの間のインタフェースを確立することを実行する。
【００６２】
コンピュータプログラムは、プロセッサ５４によって呼び出される場合、
無線信号を検出することによって、第１の無線リレーの周囲の無線リレーの信号品質情報を検出することと、
検出された無線リレーの信号品質情報をネットワーク側ノードに送信し、ネットワーク側ノードから返信された上記第１の無線リレーの隣接リストを受信するか、又は、検出された無線リレーから、信号品質が上記予め設定された条件を満たす無線リレーを選別して、上記第１の無線リレーの隣接リストを取得することとを実行する。
【００６３】
上記目的をよりよく達成するために、本開示の実施例は、さらに、プロセッサと、メモリと、メモリに記憶されてプロセッサ上で実行可能であり、かつプロセッサによって実行される場合に、上述した隣接関係確立方法のステップを実現するコンピュータプログラムとを含む、第１の無線リレーを提供する。
【００６４】
図６を参照して、本開示の実施例は、ネットワーク側ノード６０を提供する。
ネットワーク側ノード６０は、
第１の無線リレーによって送信された、リレー識別認証に用いられる上記第１の無線リレーの識別情報を持つ第１の接続要求メッセージを受信するための第１の請求受信ユニット６１と、
上記第１の無線リレーのリレー識別認証が成功すると、上記第１の無線リレーに第１の接続確立メッセージを送信して、上記ネットワーク側ノードと第１の無線リレーとの間のインタフェースを確立するための第１のインタフェース確立ユニット６２と、
を含む。
【００６５】
好ましくは、上記ネットワーク側ノードは、さらに、
上記第１の無線リレーによって転送された、リレー識別認証に用いられる第２の無線リレーの識別情報を持つ第２の接続要求メッセージを受信するための第２の要求受信ユニットと、
上記第２の無線リレーのリレー識別認証が成功すると、上記第１の無線リレーによって上記第２の無線リレーに第２の接続確立メッセージを送信して、上記ネットワーク側ノードと第２の無線リレーとの間のインタフェースを確立するか、又は、第２の無線リレーとの間のインタフェースを確立するよう上記第１の無線リレーに指示するための第２のインタフェース確立ユニットとを含む。
【００６６】
好ましくは、上記ネットワーク側ノードは、さらに、
上記第１の無線リレーによって送信された上記第１の無線リレーの隣接リストを受信するか、又は、上記第１の無線リレーによって検出された無線リレーの信号品質情報を受信し、上記第１の無線リレーによって検出された無線リレーから、信号品質が予め設定された条件を満たす無線リレーを選別して、上記第１の無線リレーの隣接リストを取得して上記第１の無線リレーに送信するための隣接リスト取得ユニットを含む。
【００６７】
好ましくは、上記ネットワーク側ノードは、さらに、
無線リレーの隣接リストに基づいて、上記ネットワーク側ノードから各無線リレーまでの少なくとも１つの経路を確立し維持するための隣接リスト維持ユニットを含む。
【００６８】
本開示の実施例は、別のネットワーク側ノードをさらに提供する。図７に示すように、該ネットワーク側ノード７００は、アンテナ７１、ラジオ周波数装置７２及びベースバンド装置７３を含む。アンテナ７１はラジオ周波数装置７２と接続される。アップリンク方向において、ラジオ周波数装置７２は、アンテナ７１を介して情報を受信して、受信した情報をベースバンド装置７３に送信して処理する。ダウンリンク方向において、ベースバンド装置７３は、送信対象となる情報を処理し、ラジオ周波数装置７２に送信し、ラジオ周波数装置７２は、受信した情報を処理してからアンテナ７１を介して送信する。
【００６９】
上記帯域処理装置は、ベースバンド装置７３内に位置し、以上の実施例におけるネットワーク装置が実行する方法は、ベースバンド装置７３において実現することができ、該ベースバンド装置７３はプロセッサ７４及びメモリ７５を含む。
【００７０】
ベースバンド装置７３は、例えば、少なくとも１つのベースバンドボードを含んでよく、該ベースバンドボードに複数のチップが設置され、図７に示すように、そのうちの１つのチップは、例えば、メモリ７５と接続され、メモリ７５におけるプログラムを呼び出して以上の方法実施例に示したネットワーク側ノードの動作を実行するプロセッサ７４である。
【００７１】
該ベースバンド装置７３は、ラジオ周波数装置７２と情報を変換するためのネットワークインタフェース７６をさらに含んでよく、該インタフェースは、例えば、共通公衆無線インタフェース（ｃｏｍｍｏｎ  ｐｕｂｌｉｃ  ｒａｄｉｏ  ｉｎｔｅｒｆａｃｅ、ＣＰＲＩと略称）である。
【００７２】
ここでのプロセッサは１つのプロセッサであってもよく、複数の処理素子の総称であってもよく、例えば、該プロセッサはＣＰＵであってもよく、ＡＳＩＣであってもよく、或いは、以上のネットワーク側ノードによって実行される方法を実施するように構成された１つ以上の集積回路、例えば、１つ以上のマイクロプロセッサＤＳＰ、又は１つ以上のフィールドプログラマブルゲートアレイＦＰＧＡ等であってもよい。記憶素子は１つのメモリであってもよく、複数の記憶素子の総称であってもよい。
【００７３】
メモリ７５は、揮発性メモリ又は不揮発性メモリであってもよく、揮発性と不揮発性メモリの両方を含んでもよい。そのうち、不揮発性メモリは、読み取り専用メモリ（Ｒｅａｄ−Ｏｎｌｙ  Ｍｅｍｏｒｙ、ＲＯＭと略称）、プログラマブル読み取り専用メモリ（Ｐｒｏｇｒａｍｍａｂｌｅ  ＲＯＭ、ＰＲＯＭと略称）、消去可能プログラマブル読み出し専用メモリ（Ｅｒａｓａｂｌｅ  ＰＲＯＭ、ＥＰＲＯＭと略称）、電気的消去可能プログラマブル読み出し専用メモリ（Ｅｌｅｃｔｒｉｃａｌｌｙ  ＥＰＲＯＭ、ＥＥＰＲＯＭと略称）又はフラッシュメモリであってよい。揮発性メモリは、外部キャッシュとして用いられるランダムアクセスメモリ（Ｒａｎｄｏｍ  Ａｃｃｅｓｓ  Ｍｅｍｏｒｙ、ＲＡＭと略称）であってよい。例であって限定するものではないが、スタティックランダムアクセスメモリ（Ｓｔａｔｉｃ  ＲＡＭ、ＳＲＡＭと略称）、ダイナミックランダムアクセスメモリ（Ｄｙｎａｍｉｃ  ＲＡＭ、ＤＲＡＭと略称）、同期ダイナミックランダムアクセスメモリ（Ｓｙｎｃｈｒｏｎｏｕｓ  ＤＲＡＭ、ＳＤＲＡＭと略称）、ダブルデータレートシンクロナスダイナミックランダムアクセスメモリ（Ｄｏｕｂｌｅ  Ｄａｔａ  Ｒａｔｅ  ＳＤＲＡＭ、ＤＤＲＳＤＲＡＭと略称）、エンハンスドシンクロナスダイナミックランダムアクセスメモリ（Ｅｎｈａｎｃｅｄ  ＳＤＲＡＭ、ＥＳＤＲＡＭと略称）、シンクリンクダイナミックランダムアクセスメモリ（Ｓｙｎｃｈｌｉｎｋ  ＤＲＡＭ、ＳＬＤＲＡＭと略称）及びダイレクトラムバスランダムアクセスメモリ（Ｄｉｒｅｃｔ  Ｒａｍｂｕｓ  ＲＡＭ、ＤＲＲＡＭと略称）等の多くの形態のＲＡＭが使用され得る。本願において説明されるメモリ７５は、これらと任意の他の適切なタイプのメモリを含むが、これらに限定されない。
【００７４】
本開示の実施例におけるネットワーク側ノードにおいては、メモリ７５には、プロセッサ７４上で実行可能なコンピュータプログラムが記憶されている。プロセッサ７４は、メモリ７５におけるコンピュータプログラムを呼び出して、図６に示す各モジュールによって実行される方法を実行する。
【００７５】
コンピュータプログラムは、プロセッサ７４によって呼び出される場合、
第１の無線リレーによって送信された、リレー識別認証に用いられる上記第１の無線リレーの識別情報を持つ第１の接続要求メッセージを受信することと、
上記第１の無線リレーのリレー識別認証が成功すると、上記第１の無線リレーに第１の接続確立メッセージを送信して、上記ネットワーク側ノードと第１の無線リレーとの間のインタフェースを確立することとを実行する。
【００７６】
コンピュータプログラムは、プロセッサ７４によって呼び出される場合、さらに、
上記第１の無線リレーによって転送された、リレー識別認証に用いられる第２の無線リレーの識別情報を持つ第２の接続要求メッセージを受信することと、
上記第２の無線リレーのリレー識別認証が成功すると、上記第１の無線リレーによって上記第２の無線リレーに第２の接続確立メッセージを送信して、上記ネットワーク側ノードと第２の無線リレーとの間のインタフェースを確立するか、又は、第２の無線リレーとの間のインタフェースを確立するよう上記第１の無線リレーに指示することとを実行する。
【００７７】
コンピュータプログラムは、プロセッサ７４によって呼び出される場合、さらに、
上記第１の無線リレーによって送信された上記第１の無線リレーの隣接リストを受信すること、
又は、
上記第１の無線リレーによって検出された無線リレーの信号品質情報を受信し、上記第１の無線リレーによって検出された無線リレーから、信号品質が予め設定された条件を満たす無線リレーを選別して、上記第１の無線リレーの隣接リストを取得して上記第１の無線リレーに送信することを実行する。
【００７８】
コンピュータプログラムは、プロセッサ７４によって呼び出される場合、さらに、
無線リレーの隣接リストに基づいて、上記ネットワーク側ノードから各無線リレーまでの少なくとも１つの経路を確立し維持することを実行する。
【００７９】
上記目的をよりよく達成するために、本開示の実施例は、さらに、プロセッサと、メモリと、メモリに記憶されてプロセッサ上で実行可能であり、かつプロセッサによって実行される場合に、上述した隣接関係確立方法のステップを実現するコンピュータプログラムとを含む、ネットワーク側ノードを提供する。
【００８０】
本開示の実施例は、さらに、プロセッサによって実行される場合に、上述した隣接関係確立方法のステップを実現するコンピュータプログラムが記憶されているコンピュータ読み取り可能な記憶媒体を提供する。上記コンピュータ読み取り可能な記憶媒体は、読み取り専用メモリ（Ｒｅａｄ−Ｏｎｌｙ  Ｍｅｍｏｒｙ、ＲＯＭと略称）、ランダムアクセスメモリ（Ｒａｎｄｏｍ  Ａｃｃｅｓｓ  Ｍｅｍｏｒｙ、ＲＡＭと略称）、磁気ディスク又は光ディスク等であってよい。
【００８１】
なお、以上のネットワーク装置と端末の各モジュールの区分は、論理機能の区分に過ぎず、実際に実現する場合、全て又は一部を１つの物理的実体に集積してもよく、物理的に分離してもよい。これらのモジュールは、全てソフトウェアが処理素子によって呼び出される形態で実現されてもよく、全てハードウェアの形態で実現されてもよい。さらに、一部のモジュールは、処理素子がソフトウェアを呼び出す形態で実現され、一部のモジュールはハードウェアの形態で実現されてもよい。例えば、決定モジュールは、別個に設置された処理素子であってもよく、上記装置のあるチップに集積されて実現されてもよい。また、プログラムコードの形式で上記装置のメモリに記憶され、上記装置のある処理素子によって呼び出され、かつ以上の決定モジュールの機能を実行してもよい。他のモジュールの実現はそれに類似する。また、これらのモジュールは、全て又は一部が集積されてもよく、別個に実現されてもよい。ここでの処理素子は、信号の処理能力を有する集積回路であってよい。実現過程において、上記方法の各ステップ又は以上の各モジュールは、処理素子におけるハードウェアの集積論理回路又はソフトウェア形態の指令によって達成できる。
【００８２】
例えば、以上のこれらのモジュールは、以上の方法を実施する１つ以上の集積回路、例えば、１つ以上の特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣと略称）、又は１つ以上のマイクロプロセッサ（ｄｉｇｉｔａｌ  ｓｉｇｎａｌ  ｐｒｏｃｅｓｓｏｒ、ＤＳＰと略称）、又は１つ以上のフィールドプログラマブルゲートアレイ（Ｆｉｅｌｄ  Ｐｒｏｇｒａｍｍａｂｌｅ  Ｇａｔｅ  Ａｒｒａｙ、ＦＰＧＡと略称）等として構成されてよい。また、以上のあるモジュールは、処理素子がプログラムコードを呼び出す形態で実現される場合、該処理素子は、汎用プロセッサ、例えば中央処理装置（Ｃｅｎｔｒａｌ  Ｐｒｏｃｅｓｓｉｎｇ  Ｕｎｉｔ、ＣＰＵと略称）又はプログラムコードを呼び出し可能な他のプロセッサ等であってよい。また、これらのモジュールは集積されて、システムオンチップ（ｓｙｓｔｅｍ−ｏｎ−ａ−ｃｈｉｐ、ＳＯＣと略称）の形態で実現されてよい。
【００８３】
当業者であれば、本明細書に開示された実施例と組み合わせて説明された各例のユニット及びアルゴリズムステップは、電子ハードウェア、又はコンピュータソフトウェアと電子ハードウェアとの組み合わせにより実現されてもよいと理解できる。これらの機能がハードウェア又はソフトウェアの方式で実行されるかは、技術手段の特定のアプリケーション及び設計上の制約条件に依存する。当業者は、各特定のアプリケーションに対して異なる方法を使用して説明された機能を実現することができるが、このような実現は本開示の範囲を超えていると考えられるべきではない。
【００８４】
当業者であれば、便利かつ簡潔で説明するために、上述したシステム、装置及びユニットの具体的な動作プロセスについて、前述の方法の実施例における対応するプロセスを参照できることを明確に理解できるので、ここで説明を省略する。
【００８５】
本願が提供する実施例では、開示された装置及び方法は他の方式によって実現されてよいことを理解されたい。例えば、上述した装置の実施例は、例示的なものに過ぎず、例えば、上記ユニットの区分は、論理機能の区分に過ぎず、実際に実施する時に他の区分方式もあり得て、例えば、複数のユニット又は部材は、結合されるか又は別のシステムに集積されてもよく、或いは幾つかの特徴が無視されてもよく、実行されなくてもよい。また、示されるか又は議論された相互結合又は直接結合又は通信接続は、幾つかのインタフェースを使用して実施でき、装置又はユニット間の間接的結合又は通信接続は、電気的、機械的なものであってもよく、他の形式であってもよい。
【００８６】
分離部品として説明した上記ユニットは、物理的に分離しても物理的に分離しなくてもよく、ユニットとして表す部品は、物理ユニットであっても物理ユニットではなくてもよく、つまり、１つの箇所に位置しても、複数のネットワークユニットに分布してもよい。実際の需要に応じて、それらのうちの一部又は全てのユニットを選択して本実施例の技術手段の目的を達成することができる。
【００８７】
また、本開示の各実施例の各機能ユニットは１つの処理ユニットに集積されてもよく、各ユニットは別個に物理的に存在してもよく、さらに２つ以上のユニットは１つのユニットに集積されてもよい。
【００８８】
上記機能は、ソフトウェア機能ユニットの形態で実現され、かつ独立した製品として販売又は使用されれば、コンピュータ読み取り可能な記憶媒体に記憶されてもよい。このような理解に基づいて、本開示の技術的解決手段の要旨、又は従来技術に寄与する部分、又は該技術的解決手段の一部は、コンピュータ装置（パーソナルコンピュータ、サーバ、又はネットワーク装置等であってよい）に本開示の各実施例に記載の方法の全部又は一部のステップを実行させるための幾つかの命令を含む、記憶媒体に記憶されているソフトウェア製品の形態で実現されてよい。前述の記憶媒体は、ＵＳＢメモリ、モバイルハードディスク、ＲＯＭ、ＲＡＭ、ディスク又は光ディスク等の、プログラムコードを記憶できる様々な媒体を含む。
【００８９】
なお、本開示の装置及び方法において、明らかに、各部品又は各ステップは、分解したり再結合することができる。これらの分解や再結合は、本開示の等価な方案と見なすべきである。そして、上記一連の処理を実行するステップは、自然的に説明の順に時間順に実行してもよいが、必ず時間順に実行する必要がなく、幾つかのステップは並行して又は互いに独立して実行されてもよい。当業者であれば、本開示の方法及び装置の全て又は任意のステップ又は部品は、任意の計算装置（プロセッサ、記憶媒体等を含む）又は計算装置のネットワークにおいて、ハードウェア、ファームウェア、ソフトウェア又はそれらの組み合わせによって実現できると理解でき、これは、当業者が本開示の説明を読んだ上で彼らの基本的なプログラミングスキルを利用して実現できるものである。
【００９０】
したがって、本開示の目的は、任意の計算装置で１つのプログラム又は一組のプログラムを実行して達成することもできる。上記計算装置は、公知の汎用装置であってよい。したがって、本開示の目的は、上記方法又は装置を実現するプログラムコードを含むプログラム製品のみを提供することによって達成することもできる。つまり、このようなプログラム製品も本開示を構成するものであり、かつこのようなプログラム製品が記憶された記憶媒体も本開示を構成するものである。明らかに、上記記憶媒体は、任意の公知の記憶媒体又は将来に開発される任意の記憶媒体であってよい。なお、本開示の装置及び方法において、明らかに、各部品又は各ステップは、分解したり再結合することができる。これらの分解や再結合は、本開示の等価な方案と見なすべきである。そして、上記一連の処理を実行するステップは、自然的に説明の順に時間的に実行されてよいが、必ず時間順に実行する必要がない幾つかのステップは並行して又は互いに独立して実行することもできる。
【００９１】
以上の説明は、本開示の好ましい実施形態であり、なお、当業者であれば、本開示の上記原理から逸脱しない前提で幾つかの改良と修飾を行うことができ、これらの改良と修飾も本開示の保護範囲に含まれる。
【図１】
2021513811.tif 000003
【図２】
2021513811.tif 000004
【図３】
2021513811.tif 000005
【図４】
2021513811.tif 000006
【図５】
2021513811.tif 000007
【図６】
2021513811.tif 000008
【図７】
2021513811.tif 000009
【手続補正書】
【提出日】令和2年9月28日(2020.9.28)
【手続補正１】
【補正対象書類名】特許請求の範囲
【補正対象項目名】全文
【補正方法】変更
【補正の内容】
【特許請求の範囲】
【請求項１】
第１の無線リレーに適用される隣接関係確立方法であって、
前記第１の無線リレーによって検出された信号品質が予め設定された条件を満たす無線リレーである少なくとも１つの隣接リレーを含む、前記第１の無線リレーの隣接リストを確立することと、
前記第１の無線リレーと前記隣接リレーとの間のインタフェースを確立することと、
を含む、隣接関係確立方法。
【請求項２】
第１の無線リレーの隣接リストを確立する前、
前記第１の無線リレーがネットワーク側ノードとの間のインタフェースを確立すること、
又は、
前記第１の無線リレーが第２の無線リレーとの間のインタフェースを確立することをさらに含む、請求項１に記載の隣接関係確立方法。
【請求項３】
前記第１の無線リレーがネットワーク側ノードとの間のインタフェースを確立することは、
前記第１の無線リレーがネットワーク側ノードの信号を傍受すると、前記ネットワーク側ノードに、リレー識別認証に用いられる前記第１の無線リレーの識別情報を持つ第１の接続要求メッセージを送信すること、及び、前記第１の無線リレーが前記ネットワーク側ノードによって送信された第１の接続確立メッセージを受信して、前記ネットワーク側ノードとの間のインタフェースを確立すること、
又は、
前記第１の無線リレーが第３の無線リレーによって転送された前記ネットワーク側ノードによって送信された第２の接続確立メッセージを受信して、前記ネットワーク側ノードとの間のインタフェースを確立することを含む、請求項２に記載の隣接関係確立方法。
【請求項４】
前記第２の接続確立メッセージを受信する前、
前記第１の無線リレーが前記第３の無線リレーの信号を傍受すると、前記第３の無線リレーに、リレー識別認証に用いられる前記第１の無線リレーの識別情報を持つ第２の接続要求メッセージを送信することをさらに含む、請求項３に記載の隣接関係確立方法。
【請求項５】
前記第１の無線リレーが前記第２の無線リレーとの間のインタフェースを確立することは、
前記第１の無線リレーが前記第２の無線リレーによって送信された第３の接続確立メッセージを受信して、前記第２の無線リレーとの間のインタフェースを確立することを含む、請求項２に記載の隣接関係確立方法。
【請求項６】
第１の無線リレーの隣接リストを確立することは、
無線信号を検出することによって、第１の無線リレーの周囲の無線リレーの信号品質情報を検出することと、
検出された無線リレーの信号品質情報をネットワーク側ノードに送信し、ネットワーク側ノードから返信された前記第１の無線リレーの隣接リストを受信するか、又は、検出された無線リレーから、信号品質が前記予め設定された条件を満たす無線リレーを選別して、前記第１の無線リレーの隣接リストを取得することとを含む、請求項１に記載の隣接関係確立方法。
【請求項７】
ネットワーク側ノードに適用される隣接関係確立方法であって、
前記ネットワーク側ノードが、第１の無線リレーによって送信された、リレー識別認証に用いられる前記第１の無線リレーの識別情報を持つ第１の接続要求メッセージを受信することと、
前記第１の無線リレーのリレー識別認証が成功すると、前記第１の無線リレーに第１の接続確立メッセージを送信して、前記ネットワーク側ノードと第１の無線リレーとの間のインタフェースを確立することと、
を含む、隣接関係確立方法。
【請求項８】
前記ネットワーク側ノードと第１の無線リレーとの間のインタフェースを確立した後、
前記ネットワーク側ノードが、前記第１の無線リレーによって転送された、リレー識別認証に用いられる第２の無線リレーの識別情報を持つ第２の接続要求メッセージを受信することと、
前記第２の無線リレーのリレー識別認証が成功すると、前記第１の無線リレーによって前記第２の無線リレーに第２の接続確立メッセージを送信して、前記ネットワーク側ノードと第２の無線リレーとの間のインタフェースを確立するか、又は、第２の無線リレーとの間のインタフェースを確立するよう前記第１の無線リレーに指示することとをさらに含む、請求項７に記載の隣接関係確立方法。
【請求項９】
前記ネットワーク側ノードと第１の無線リレーとの間のインタフェースを確立した後、
前記第１の無線リレーによって送信された前記第１の無線リレーの隣接リストを受信すること、
又は、
前記第１の無線リレーによって検出された無線リレーの信号品質情報を受信し、前記第１の無線リレーによって検出された無線リレーから、信号品質が予め設定された条件を満たす無線リレーを選別して、前記第１の無線リレーの隣接リストを取得して前記第１の無線リレーに送信することをさらに含む、請求項７又は８に記載の隣接関係確立方法。
【請求項１０】
無線リレーの隣接リストに基づいて、前記ネットワーク側ノードから各無線リレーまでの少なくとも１つの経路を確立し維持することをさらに含む、請求項９に記載の隣接関係確立方法。
【請求項１１】
第１の無線リレーによって検出された信号品質が予め設定された条件を満たす無線リレーである少なくとも１つの隣接リレーを含む、前記第１の無線リレーの隣接リストを確立するための隣接関係確立ユニットと、
前記第１の無線リレーと前記隣接リレーとの間のインタフェースを確立するための隣接インタフェース確立ユニットと、
を含む、第１の無線リレー。
【請求項１２】
前記第１の無線リレーとネットワーク側ノードとの間のインタフェースを確立するか、又は、前記第１の無線リレーとバックホールネットワークにおける第２の無線リレーとの間のインタフェースを確立するためのネットワーク参加ユニットをさらに含む、請求項１１に記載の第１の無線リレー。
【請求項１３】
前記ネットワーク参加ユニットは、
ネットワーク側ノードの信号を傍受すると、前記ネットワーク側ノードに、リレー識別認証に用いられる前記第１の無線リレーの識別情報を持つ第１の接続要求メッセージを送信し、及び、前記ネットワーク側ノードによって送信された第１の接続確立メッセージを受信して、前記ネットワーク側ノードとの間のインタフェースを確立するための第１の参加ユニット、
又は、
第３の無線リレーによって転送された前記ネットワーク側ノードによって送信された第２の接続確立メッセージを受信して、前記ネットワーク側ノードとの間のインタフェースを確立するための第２の参加ユニットを含む、請求項１２に記載の第１の無線リレー。
【請求項１４】
前記第２の参加ユニットは、さらに、前記第２の接続確立メッセージを受信する前、
前記第３の無線リレーの信号を傍受すると、リレー識別認証に用いられる前記第１の無線リレーの識別情報を持つ第２の接続要求メッセージを、前記第３の無線リレーに送信する、請求項１３に記載の第１の無線リレー。
【請求項１５】
第１の無線リレーによって送信された、リレー識別認証に用いられる前記第１の無線リレーの識別情報を持つ第１の接続要求メッセージを受信するための第１の請求受信ユニットと、
前記第１の無線リレーのリレー識別認証が成功すると、前記第１の無線リレーに第１の接続確立メッセージを送信して、ネットワーク側ノードと第１の無線リレーとの間のインタフェースを確立するための第１のインタフェース確立ユニットと、
を含む、ネットワーク側ノード。
【国際調査報告】
2021513811.tif 000010
2021513811.tif 000011
2021513811.tif 000012
2021513811.tif 000013